(57)【要約】【課題】開封後の易破断部が注ぎ部の下部において外方に露出しないようにし、開封時や開封後に、キャップ部と注ぎ部の破断部に指が掛かりにくくし、キャップ再封時において注ぎ部の破断部とキャップ部の破断部により指を挟むおそれをなくした容器の封鎖構造を提供する。【解決手段】キャップ部Ａと注ぎ部Ｂとが連続して一体的に形成され、易破断部１１ａを破断することにより開封可能な容器の封鎖構造１０において、前記易破断部１１ａが前記キャップ部Ａと注ぎ部Ｂとの境界に形成された円周状溝１１の底部１１ｂに形成されていることを特徴とする。【選択図】  図１
2006264709.tif 000002
【特許請求の範囲】
【請求項１】
キャップ部と注ぎ部とが連続して一体的に形成され、易破断部を破断することにより開封可能な容器の封鎖構造において、前記易破断部が撓み変形部における前記キャップ部と注ぎ部との境界に形成された円周状溝の底部に形成されていることを特徴とする容器の封鎖構造。
【請求項２】
円筒部材の内部から外側に拡径して撓み変形部を形成し、前記撓み変形部に円周状溝を形成し、次いで、前記円周状溝の底部に易破断部を形成してキャップ部と注ぎ部の境界とした後、前記円筒部材を軸方向に押圧することにより、撓み変形部を中間壁予定部の外側に被せるように折り曲げ、ネジ係合部を形成することを特徴とする容器の封鎖構造の製造方法。
【請求項３】
前記円周状溝と易破断部を連続して形成する請求項２に記載の容器の封鎖構造の製造方法。
【請求項４】
前記円周状溝を形成した後、他の工程で易破断部を形成する請求項２に記載の容器の封鎖構造の製造方法。
【請求項５】
前記易破断部の形成を、易破断部を形成する形成刃と、その上方及び／又は下方に押さえ部を備える刃状工具を用いて行うことを特徴とする請求項２乃至４の何れかに記載の容器の封鎖構造の製造方法。
【発明の詳細な説明】
【技術分野】
【０００１】
本発明は、容器の封鎖構造及びその製造方法に関し、詳しくは、安全性に優れ、開封及び封鎖を容易に行うことができるジュース、ビール、炭酸飲料、コーヒー飲料等の飲料缶、潤滑油、食用油、調味料、粉末、穀物等の容器の封鎖構造、及び前記容器の封鎖構造を安定して形成できる製造方法に関する。
【背景技術】
【０００２】
従来、前記した容器の封鎖構造として、容器本体の開口端部にイージーオープン蓋を巻締めたものが従来から広く使用されている。イージーオープン蓋においては、蓋本体に開口部を区画するスコアが形成されていて、蓋本体に設けられたリベットによって固着された摘みタブを用いてスコアを破断して押し下げ、飲み口になる開口部を形成する。
しかしながら、従来の容器の場合、飲み残した時に開口部の再封鎖ができないので、残した飲料等は捨てるか、或いはコップ等に移して冷蔵庫内で保存するという手間を要するという問題があった。また、イージーオープン蓋に異物が付着して不衛生になり易いという問題もあった。
【０００３】
そこで、開口部の再封鎖が可能な密封容器の開発が行われている。例えば、特許文献１には、金属製の缶容器に対して弱化部を破断しつつ弱化部で囲まれた部分を缶体内に押し下げることで注出口を開封すると共に、開封された注出口を再封鎖するための樹脂製のキャップが容器缶蓋の開口部に着脱自在に冠着されている再封鎖用キャップ付き缶容器が記載されている。
【０００４】
特許文献１記載の容器において、注出口の開封は、缶蓋の開口部とキャップの第一円筒部との係合によりキャップを着脱させると共に、キャップの押し釦部を上方から指で押圧して可動連結部を弾性変形させて押し釦部と栓部を下方に変位させて、ヒンジ部分となる一部分を除いて略環状に破断可能な弱化部（本発明において、易破断部、スコアという場合がある）が形成されている金属製の容器に対して、弱化部を破断しつつ弱化部で囲まれた部分を缶体内に押し下げることにより行う。また、開封された注出口の再封鎖は、可動連結部を弾性変形により支点を超えて下方に反転させ、キャップのフランジ部を缶蓋の開口部上端面に密着させることにより行う。
【０００５】
しかしながら、特許文献１記載の容器においては、樹脂製のキャップが容器本体とは別体に構成されているため、容器製造の際の工程が煩雑になり易く、生産性が悪いという問題点があった。そして、金属製の缶容器と樹脂製のキャップとが異質な素材であって、廃棄する際に、分別を要するため不便であり、リサイクル性も乏しいという問題点があった。
また、使用時における耐久性に乏しく、使用前の輸送中の振動、衝撃等によってもキャップが容器本体から脱落する可能性があった。
さらに、注出口の開封の際、キャップの押し釦部を上方から指で押圧する必要があるが、かなりの指の力を要するため、力が弱く手先のおぼつかない幼児や高齢者等は開封が困難である。また、キャップを外してみないとその開口状態を確認できないため、開口の確実性に欠けるという問題点があった。また、再封鎖の際、キャップと開口部との接合部分に埃やゴミ等の異物が溜まったり付着したりしやすいため不衛生になり易いという問題点があった。
【０００６】
かかる問題点を解決すべく開発を進めた結果、本発明者らは特許文献２記載の容器の封鎖構造を開発し提案している。特許文献２記載の容器の封鎖構造は、注ぎ部とキャップ部を連続して一体に形成すると共に、易破断部を設けたことを特徴とする。
特許文献２記載の容器の封鎖構造を開封する場合には、封鎖構造の外側壁を掴んで回転させてせん断力を付与することにより、易破断部が破断してキャップ部が中間壁に対して独立に回転して開封し、分離する。また、再封鎖時には、容器に飲み残しが生じた場合は、外側壁を中間壁に被せて回転させ、それぞれに設けた螺子係合部により両者を確実に固定して封止することができる。
【０００７】
このような特許文献２記載の容器の封鎖構造によれば、容器を製造する際の生産性や耐久性に優れるが、開封後の破断部が外方に露出した状態となる。そのため、開封時や開封後に、破断部に指が掛かりやすいおそれがあった。また、キャップ再封時において、キャップ部と注ぎ部の破断部の間で指を挟むおそれがあった。
【０００８】
【特許文献１】特開２０００−２９６８６６号公報
【特許文献２】国際公開ＷＯ０３／０５７５８３号公報
【発明の開示】
【発明が解決しようとする課題】
【０００９】
本発明は、前記従来技術の問題点を解決し、開封後の破断部が外方に露出しないようにし、開封時や開封後に、破断部に指が掛かりにくくし、キャップ再封時において、キャップと注ぎ部の破断部の間で指を挟むおそれをなくした容器の封鎖構造を提供することを目的とし、さらに、安全性に優れ、開封及び再封鎖を容易に行うことができる容器の封鎖構造を提供することを目的とする。
【課題を解決するための手段】
【００１０】
本発明の請求項１の容器の封鎖構造は、キャップ部と注ぎ部とが連続して一体的に形成され、易破断部を破断することにより開封可能な容器の封鎖構造において、前記易破断部が撓み変形部における前記キャップ部と注ぎ部との境界に形成された円周状溝の底部に形成されていることを特徴とする。
本発明の請求項２の容器の封鎖構造の製造方法は、円筒部材の内部から外側に拡径して撓み変形部を形成し、前記撓み変形部に円周状溝を形成し、次いで前記円周状溝の底部に易破断部を形成してキャップ部と注ぎ部の境界とした後、前記円筒部材を軸方向に押圧することにより、撓み変形部を中間壁予定部の外側に被せるように折り曲げ、ネジ係合部を形成することを特徴とする。
本発明の請求項３の容器の封鎖構造の製造方法は、請求項２において、前記円周状溝と易破断部を連続して形成することを特徴とする。
本発明の請求項４の容器の封鎖構造の製造方法は、請求項２において、前記円周状溝を形成した後、他の工程で易破断部を形成することを特徴とする。
本発明の請求項５の容器の封鎖構造の製造方法は、請求項２乃至４の何れかにおいて、前記易破断部の形成を、易破断部を形成する形成刃と、その上方及び／又は下方に押さえ部を備える刃状工具を用いて行うことを特徴とする。
【発明の効果】
【００１１】
本発明の容器の封鎖構造によれば、易破断部が変形撓み部におけるキャップ部と注ぎ部の境界に形成された円周状溝の底部に形成され、外方に露出しないようにされているので、開封時や開封後に、破断部に指が掛かりにくく、キャップ再封時において、キャップ部と注ぎ部の破断部の間で指を挟むおそれがなく、安全性に優れ、開封及び再封鎖が容易な容器の封鎖構造及びその製造方法を提供することができる。
【発明を実施するための最良の形態】
【００１２】
以下、本発明の容器の封鎖構造について、図面に基づいて詳細に説明する。
図１は、本発明の容器の封鎖構造の縦断面図である。図２は、容器の封鎖構造のキャップ部を取り外した状態を示す説明図である。
図１、図２に示すように、本発明の容器の封鎖構造１０は、キャップ部Ａと注ぎ部Ｂとから成り、内側壁１２、中間壁１３及び外側壁１４を連続して一体的に形成し、中間壁１３を内側壁１２の上端折曲部１２ａから下方に折り曲げ、外側壁１４を中間壁１３の下端折曲部１３ａから上方に折り曲げて、外側壁１４をキャップ部Ａとし、内側壁１２と中間壁１３を注ぎ部Ｂとし、キャップ部Ａ及び注ぎ部Ｂはこれらの三重壁から一体的に形成された三重円筒構造としている。
【００１３】
そして、易破断部１１ａを、封鎖構造１０の側壁に、即ち、キャップ部Ａとなる外側壁１４の下端に設け、易破断部１１ａを介して、キャップ部Ａとなる外側壁１４が注ぎ部Ｂとなる中間壁１３から分離可能に形成されている。
また、外側壁１４と中間壁１３との間に空間が設けられており、前記外側壁１４を径方向に押圧して易破断部１１ａの破断を行う際に、その破断を容易にする撓み変形部１５が形成されている。
【００１４】
さらに、前記易破断部１１ａは、撓み変形部１５におけるキャップ部Ａと注ぎ部Ｂとの境界に形成された円周状溝１１の底部１１ｂ内に形成されている。この易破断部１１ａは、環状に連続して素材の厚みを薄くしたものや、一部を切除したもの、ミシン目状等に貫通したものである。
すなわち、円周状溝１１は、外側壁１４の下端の一部を周状（リング状）にわたり内方に押し込むようにして形成されており、底部１１ｂとは、その円周状溝１１の最も中間壁１３よりの部分をいう。
【００１５】
易破断部１１ａのスコア残厚は、用いる素材、寸法、容器の用途等によって相違し特に限定されないが、一例として、素材をアルミ合金とした場合は、本発明によれば０．０１ｍｍ〜０．１ｍｍ程度の極薄いスコア残厚でもクラックを生じさせずに形成することが可能であり、開封操作時の易破断部１１ａの破断も容易である。
【００１６】
キャップ部Ａは、側壁１４と注ぎ部Ｂの開口部１９を覆う円盤状の天板部１６とを備え、注ぎ部Ｂのネジ部１７ｂに係合するネジ部１７ａが設けられている。
具体的には、外側壁１４が、内側壁１２及び中間壁１３に係合可能なようにそれぞれにネジ状の溝が設けられている。
ネジの形態は特に限定されず、ネジ山の向きは外方に凸、及び内方に凸のいずれであってもよい。また、ネジの条数も１条、多条のいずれでも良い。
ネジ部１７ａ、１７ｂを設けることにより、開封後もキャップ部Ａ及び注ぎ部Ｂを着脱可能とすることができ、封鎖構造１０の開封後の再封機能が確実になる。
また、キャップ部Ａの内面上部１６ｂに、環状またはドーナツ状の密封材１８が配置されており、この密封材１８は、注ぎ部Ｂの再封鎖時におけるキャップ部Ａのシール性を向上させる。
【００１７】
前記密封材１８の素材としては、天板部１６の内面上部１６ｂに接着又は嵌着されて配置されたゴムや合成樹脂、またはその発泡体等の弾性体や可塑体からなる薄肉円盤状またはドーナツ状のものを用いることが、密封性を確実にするために好ましい。
このような密封材１８は、キャップ部Ａの内側に嵌着、塗布又は接着して配置されてもよいし、後述する成形工程において、円筒状カップＱの薄肉の中間壁予定部Ｃ３の下端内周面に密封材１８を予め塗布又は接着しておいてもよい。
【００１８】
前記密封材１８に代えて、予め内面側に有機被覆を施した塗装アルミ板またはラミネートアルミ板等の樹脂被覆金属素材を用いることも可能であり、前記有機被覆、樹脂被覆等によって、易破断部１１ａを破断して分離されたキャップ部Ａを注ぎ部Ｂに被せる際に、注ぎ部Ｂの開口部１９に介在する密封材有機被覆、樹脂被覆が注ぎ部Ｂの上端折曲部１２ａに密着して密封性を保持することができる。
【００１９】
本発明の容器の封鎖構造の開封は、図３に示すように、封鎖構造１０の側面（外側壁１４）の押圧部（撓み変形部）１５を内側方向（矢印Ｘ）に押圧することにより外側壁１４を楕円状に撓ませ、易破断部１１ａを径方向（指で押圧した部分では矢印Ｘの内側方向、それと直角方向では矢印Ｙの外側方向）に変形させることにより、押圧部近傍の易破断部に亀裂を生じると共に、外側方向（矢印Ｙ）へ変形した易破断部１１ａが上下方向（矢印Ｚ）に分断して亀裂を生じ、この亀裂が易破断部１１ａの全周或いは一部に伝播し、続いてキャップ部Ａに軽いねじり力を加えることでこの亀裂を起点として極めて容易に易破断部１１ａの全周を破断することができる。
【００２０】
そして、この破断によって、易破断部１１ａにおいて、キャップ部Ａと注ぎ部Ｂが分離されて封鎖構造１０の開封が行われ、開封後、容器から内容物を注ぎ出すことが可能になると共に、分離したキャップ部Ａを用いて再封鎖することが可能になる。
なお、易破断部１１ａが円周状溝１１の底部１１ｂに形成されており、外側壁１４よりも外方に露出していないので、開封時や開封後に、キャップ側破断部１１ｃ及び注ぎ部側破断部１１ｄに指が掛かりにくく、また、キャップ部Ａを用いて再封鎖（リシール）する際に、キャップ部Ａと注ぎ部Ｂに分離された後のキャップ側破断部１１ｃ及び注ぎ部側破断部１１ｄによって指等にけがをすることがなく、また、キャップ部Ａを持った指が、キャップ部Ａのキャップ側破断部１１ｃと注ぎ部Ｂの注ぎ部側破断部１１ｄの間に挟まれにくく、安全性に優れている。
【００２１】
封鎖構造１０の素材は、アルミ合金やスチール等の金属素材、または金属板の少なくとも片面に、特に内面に有機被膜を設けた被覆金属板の金属素材が、加工性、強度、ガスや光の遮断性に優れていることから好ましい。
【００２２】
本発明の容器の封鎖構造においては、キャップ部Ａ及び注ぎ部Ｂを構成する内側壁１２、中間壁１３及び外側壁１４が連続して一体的に形成されているため、内容物充填後のキャップ部における密封性の保証が完全になされ、容器製造の際の生産性や輸送中等における耐久性に優れた容器の封鎖構造とすることができ、易破断部１１ａが、前記外側壁１４に設けられているため、タンパーエビデント性も付与することができる。
また、開封後に露出する注ぎ部Ｂの上端折曲部１２ａは、内側壁１２と中間壁１３との折り曲げの曲率をもつため、開口部１９からの内容品の注出がスムースであるだけでなく、直接注ぎ部Ｂに口をつけて飲む（いわゆるラッパのみ）場合にも口を怪我するなどの不安が全くなく、安全性にも優れている。
さらに、易破断部１１ａは、外側壁１４の下端折曲部１３ａ近傍に、かつ円周状溝１１の底部１１ｂに設けられているので、キャップ部Ａと注ぎ部Ｂとに分離された際に現れる注ぎ部側破断部１１ｄの切断端は内方の中間壁１３に密着もしくは接近した状態であり、指、唇、舌等が触れても切創を受けることがなく安全性を有する。
【００２３】
図４は、本発明の容器の封鎖構造を備えた容器の縦断面図で、この容器６０は、前記した容器の封鎖構造１０を備えており、容器胴部６１の上端部に、封鎖構造の下端部を二重巻締め７０によって固定したものである。
【００２４】
容器胴部６１はアルミ合金、スチール等の金属素材の他、ポリオレフィンやポリエステル等のプラスチック素材を主素材として形成することができるが、加工性、強度、ガスや光の遮断性に優れていることから、アルミ合金、スチール等の金属素材を用いることが好ましい。
また、その用途や製造コスト等に応じて、深絞り成形、しごき加工、押し出し成形、射出成形等の種々の成形方法を、材料に応じて選択して用いることができる。例えば、金属素材で形成する場合は、加工性に優れた金属材を選択して、深絞り加工、しごき加工等を適用して成形でき、衝撃に対する耐用性や耐液漏れ性に優れた容器胴部６１を形成できる。一方、全体をプラスチック素材で成形する場合は、射出成形や押し出し成形等の公知の技術が適用できる。
【００２５】
（封鎖構造の製造方法）
図５は、本発明における容器の封鎖構造の製造方法の概略を説明する断面図であり、上述した封鎖構造１０を製造する一実施形態の方法を説明する説明図である。
（１）まず、アルミ合金板等の金属板Ｐを用意する。
（２）この金属板Ｐを深絞りして円筒状カップＱに成形する。
（３）次いで、円筒状カップＱを、再絞り成形により円筒状部分の直径が注ぎ部Ｂの直径になるまで必要により複数回にわたって縮小を行い筒状の円筒部材Ｃとする（（４）も参照）。
（５）円筒部材Ｃの再絞り成形の最終段階では、しごき成形を組み合わせて筒状の円筒部材Ｃの長手方向の肉厚分布を相違させ、キャップのネジ部１７ａの予定部Ｃ１、キャップの撓み変形部１５の予定部Ｃ２（Ｃ１、Ｃ２：外側壁１４予定部）、中間壁１３の予定部Ｃ３、及び内側壁１２の予定部Ｃ４とし、Ｃ１＞Ｃ２≒Ｃ４＞Ｃ３とすることにより、後の成形工程を良好に行うことが可能となり、開封時の撓み変形部の撓み具合を良好とすることができる。
【００２６】
（６）次に、図６に示すように、円筒部材Ｃの上部を外型となる割型Ｄ１内に挿入すると共に、内型となるウレタン等の弾性体Ｄ２を円筒部材Ｃ内に装填して、押圧具Ｈを介して軸方向に弾性体Ｄ２を圧縮変形させることにより、弾性体Ｄ２の外径が拡径し、円筒部材Ｃの内部から半径方向外方に拡径して拡径部Ｆを形成する。
この拡径部Ｆは、キャップネジ部１７ａの予定部Ｃ１の下部に位置して、やや大径の撓み変形部１５を構成する。
（７）そして、図７に示すように、円筒部材Ｃの内側に円環状溝２２を形成したマンドレル２１を挿入後、刃状工具２３を円環状溝２２に押し付けて円筒部材Ｃを協働して回転させ、円筒部材Ｃの拡径部Ｆ、即ち前述した押圧部（撓み変形部）１５の下方に、円周状溝１１と円周状溝１１内の底部１１ｂに易破断部１１ａを連続して形成する。
尚、前記円周溝１１の形成位置は、円筒部材Ｃの拡径部Ｆの下方に限定されず、前記拡径部Ｆに形成すれば良いが、下方に形成するのが易破断部１１ａの破断が容易である点で好ましい。
また、刃状工具２３は、中央に易破断部を形成する形成刃３１と、形成刃３１の上下に押さえ部３２、３２を備えており、易破断部１１ａを形成する際に、前記押さえ部３２、３２によってマンドレル２１の円環状溝２２の上下に対応する円筒部材Ｃの部分を押さえることができ、スコア残厚の不均一を防止して易破断部１１ａの形成が容易となる。
尚、前記刃状工具２３の押さえ部３２は、易破断部を形成する形成刃３１の上方、或いは下方のいずれか一方に備えている形態でも良い。
【００２７】
次に、図８を用いて、円筒部材Ｃから封鎖構造１０を形成する工程を説明する。
（８）前記円筒部材Ｃを下方に押圧することにより、拡径部Ｆを中間壁予定部Ｃ３の外側に被せるようにして折り曲げる。
（９）次いで、ネジ部予定部Ｃ１及び撓み変形部予定部Ｃ２が、内側壁予定部Ｃ４の外側に重ねられて外側壁１４となり、内側壁１２、中間壁１３、外側壁１４の三重円筒Ｋが形成される。
（１０）最後に、三重円筒Ｋの内側と外側に、それぞれネジ加工用ロールＮ１、Ｎ２を押し当てて、ネジ係合部１７を成形加工し、容器の封鎖構造１０が完成される。
【００２８】
図９は、円筒部材Ｃの円周状溝１１の底部１１ｂに、易破断部１１ａを形成する他の例を示す概略説明図で、本例では、前述した（６）の図６に示すバルジ成形加工後、（７）の図７に示す円筒部材Ｃに、円周状溝１１と該円周状溝１１内の底部１１ｂに易破断部１１ａを形成する際に、前記易破断部１１ａを形成する前にロール状工具２４を用いて前記円周状溝１１を形成する例である。
この場合、図９（ａ）に示すように、円筒部材Ｃの内側に円環状溝２２を形成したマンドレル２１を挿入後、ロール状工具２４を前記円環状溝２２に押し付け円筒部材Ｃを協働して回転させ、円筒部材Ｃの拡径部Ｆの撓み変形部近傍に円周状溝１１を形成後、次いで、図９（ｂ）に示すように、刃状工具２３を円筒状部材Ｃの円周状溝１１、及びマンドレル２１の円環状溝２２に押し付け、円筒部材Ｃを協働して回転させて円筒部材Ｃの円周状溝１１内の底部１１ｂに易破断部１１ａを形成する。
尚、図９（ｂ）に示すように、刃状工具２３は、中央に易破断部を形成する形成刃３１、上下に押さえ部３２、３２を備え、易破断部１１ａを形成する際に、円筒部材Ｃの円周状溝１１とマンドレル２１の円環状溝２２の上下に対応する部分に当接し、スコア残厚の不均一を防止して易破断部１１ａの形成が容易となる。
そして、このような方法によれば、伸びの少ない難加工材の場合であっても、円筒部材Ｃに円周状溝１１内の底部１１ｂに易破断部１１ａを形成する際に、亀裂を生じにくい。
【００２９】
図１０は、円筒部材Ｃに円周状溝１１を形成するさらに他の例を示す概略説明図で、本例では、前述した図９（ａ）に示す円筒状部材Ｃに円周溝１１を形成する際のマンドレル２１とロール状工具２４に変えて、円環状突起２５を形成した外型となる割型Ｄ１と、ウレタン等の弾性体Ｄ２を用いている。
この場合、図１０に示すように、円筒部材Ｃの上部を外型となる割型Ｄ１内に挿入すると共に、内型となるウレタン等の弾性体Ｄ２を円筒部材Ｃ内に装填して、押圧具Ｈを介して軸方向に弾性体Ｄ２を圧縮変形させることにより、弾性体Ｄ２の外径が拡径し、円筒部材Ｃの内部から半径方向外方に拡径して拡径部Ｆを形成し、同時に前記拡径部Ｆ、即ち前述した封鎖構造体とした際に、押圧部（撓み変形部）１５の下方に対応する位置に円周状溝１１を設ける。
次いで、前述した図９（ｂ）に示すマンドレル２１と刃状工具２３を用いて、円筒部材Ｃの円周状溝１１内の底部１１ｂに、易破断部１１ａが同様に形成される。
そして、このような方法によれば、少ない工程数で、円筒部材Ｃに円周状溝１１内の底部１１ｂに易破断部１１ａを精度良く形成できる。
【産業上の利用可能性】
【００３０】
本発明の容器の封鎖構造は、ジュース、ビール、炭酸飲料、コーヒー飲料等の飲料缶、潤滑油、食用油、調味料、粉末、穀物等の密封に用いられる封鎖構造であり、金属素材、少なくとも片面、特に内面に有機被膜等が被覆されたアルミ合金やスチール等の金属素材が好ましく適用され、安全性に優れ、開封、再封鎖を容易に行える封鎖構造とすることができる。
【図面の簡単な説明】
【００３１】
【図１】本発明の容器の封鎖構造の図である。
【図２】本発明の容器の封鎖構造のキャップ部を取り外した状態を示す図である。
【図３】本発明の容器の封鎖構造の開封方法を示す図である。
【図４】本発明の容器の封鎖構造を備えた容器の図である。
【図５】本発明の容器の封鎖構造に用いる円筒部材の製造工程の参考図である。
【図６】円筒部材を拡径する状態を示す図である。
【図７】易破断部の形成方法を示す図である。
【図８】円筒部材に易破断部を形成後、封鎖構造とする工程を示す参考図である。
【図９】円筒部材に円周状溝を形成する工程を示す図である。
【図１０】円筒部材に円周状溝を形成する工程の他の例を示す図である。
【符号の説明】
【００３２】
Ａ  キャップ部
Ｂ  注ぎ部
１０  容器の封鎖構造
１１  円周状溝
１１ａ  易破断部
１１ｂ  底部
１１ｃ  キャップ側破断部
１１ｄ  注ぎ部側破断部
１２  内側壁
１２ａ  上端折曲部
１３  中間壁
１３ａ  下端折曲部
１４  外側壁
１５  押圧部（撓み変形部）
１６  天板部
１６ｂ  内面上部
１７  ネジ係合部
１７ａ、１７ｂ  ネジ部
１８  密封材
１９  開口部
２１  マンドレル
２２  円環状溝
２３  刃状工具
２４  ロール状工具
２５  円環状突起
３１  形成刃
３２  押さえ部
６０  容器
６１  容器胴部
７０  二重巻締め
Ｐ  金属板
Ｑ  円筒状カップ
Ｃ  円筒部材
Ｃ１  キャップネジ部予定部
Ｃ２  キャップの撓み変形部予定部
Ｃ３  中間壁予定部
Ｃ４  内側壁予定部
Ｄ１  割型
Ｄ２  弾性体
Ｆ  拡径部
Ｈ  押圧具
Ｋ  三重円筒  
Ｎ１、Ｎ２  ネジ加工用ロール
【図１】
2006264709.tif 000003
【図２】
2006264709.tif 000004
【図３】
2006264709.tif 000005
【図４】
2006264709.tif 000006
【図５】
2006264709.tif 000007
【図６】
2006264709.tif 000008
【図７】
2006264709.tif 000009
【図８】
2006264709.tif 000010
【図９】
2006264709.tif 000011
【図１０】
2006264709.tif 000012